Podtech/llm-jp-corpus-v4-ja_patent huggingface dataset:
(57)【要約】【課題】かすがいの打ち込みにより木柱の接合面に木柱を寄せる締め付け力を作用させて木材どうしを強固に接合させて木構造の強度を向上させることができる木材接合部締め付け用かすがいの提供。【解決手段】木材の接合面を挟んで打ち込むかすがいにおいて、水平部１の両端に脚部２が対向して垂直に形成されるとともに、脚部２の先端が木材中に打ち込み可能に先鋭に形成され、脚部２の対向する側に先端から水平部１の中央側に向かって下り勾配の傾斜面３が形成されている。【選択図】図１
0003126618.tif 000002
【実用新案登録請求の範囲】
【請求項１】
木材の接合面を挟んで打ち込むかすがいにおいて、水平部の両端に脚部が対向して垂直に形成されるとともに、脚部の先端が木材中に打ち込み可能に先鋭に形成され、脚部の対向する側にそれぞれ先端から水平部の中央側に向かって下り勾配の傾斜面が形成されていることを特徴とする木材接合部締め付け用かすがい。
【請求項２】
傾斜面を鋸刃状に複数段に形成したことを特徴とする請求項１記載の木材柱接合部締め付け用かすがい。
【考案の詳細な説明】
【技術分野】
【０００１】
本考案は、木造住宅の木構造などにおいて、木柱どうしの接合部の締め付け強度を増加させるための木材接合部締め付け用かすがいに関する。
【背景技術】
【０００２】
木造住宅等の木造建築では、従来から木柱と木柱の接合部を補強するための補強金具としてかすがいが使用されている。
【０００３】
従来のかすがいは、図４に示すように、金属丸棒からなる水平部１と、この水平部の両側をそれぞれ直角に曲げ加工して形成された一対の脚部２とから構成され、脚部２の先端は木柱に打ち込んで埋め込むために先鋭に形成されている。
【０００４】
従来の木材の接合においてかすがいを打ち込む方式として、例えば、特許文献１には、部材に生じる割裂を少なくして接合部の強度を高めるとともに、複数の接合部についても一定の強度水準を確保するため、直立材と横架材とにわたりかすがいを打ち込んで補強する際に、かすがいの渡り（水平部）の長さの３分の２を直立材に、残りの３分の１を横架材に掛けるようにして、かすがいの脚部に形成している先鋭な爪をそれぞれ直立材と横架材とに打ち込むことが記載されている。
【特許文献１】特開平１１−２２２９３１号公報
【考案の開示】
【考案が解決しようとする課題】
【０００５】
前述の従来の金属丸棒からなるかすがいは、脚部が水平部に対して真っ直ぐに垂直に形成されているために、木柱に打ち込んだ場合に木柱の接合面に木柱どうしを寄せて締め付ける力があまり作用しないため、接合面を強固に接合することができず、木柱どうしを単に連結しているに過ぎない。
【０００６】
そこで、本考案は、かすがいの打ち込みにより木柱の接合面に木柱どうしを寄せる締め付け力を作用させて木柱どうしを強固に締め付けて接合させることにより木構造の接合強度を向上させることができる木材接合部締め付け用かすがいを提供するものである。
【課題を解決するための手段】
【０００７】
本考案の木材接合部締め付け用かすがいは、木柱の接合面を挟んで打ち込むかすがいにおいて、水平部の両端に脚部が対向して垂直に形成されるとともに、脚部の先端が木材中に打ち込み可能に先鋭に形成され、脚部の対向する側にそれぞれ先端から水平部の中央側に向かって下り勾配の傾斜面が形成されていることを特徴とするものである。
【考案の効果】
【０００８】
本考案の木材接合部締め付け用かすがいは、脚部に先端から水平部の中央側に向かって下り勾配の傾斜面を形成することにより、かすがいを接合する木材に打ち込む際に木材どうしを木材の接合面に寄せる締め付け力を作用させることができるので、木材どうしを強固に締め付けて接合させて木構造の耐震強度を向上させることができる。
【考案を実施するための最良の形態】
【０００９】
本考案による木材接合部締め付け用かすがいの実施例について図面を参照して説明する。
【実施例】
【００１０】
図１は本考案の木材接合部締め付け用かすがいの斜視図である。
【００１１】
図１において、本考案の木材接合部締め付け用かすがいは、従来のかすがいと同様に、水平部１の両端に脚部２が対向して垂直に形成されるとともに、脚部２の先端は木材中に打ち込みできるように両側面を先細りにして先鋭に形成される。かすがいの断面は、矩形断面が加工しやすい。
【００１２】
本考案のかすがいでは、脚部２の対向する側には、先端から水平部１に向かって水平部１の中央側に向かって下り勾配の傾斜面３を形成する。したがって、対向する傾斜面３の間隔は水平部１に向かうにつれて小さくなる。
【００１３】
本実施例では、傾斜面３を鋸刃状に複数段に形成し、各段の傾斜面３の下端４の間隔が水平部１に向かうにつれて小さくなるようにしている。鋸刃状にして段部５を形成することにより、かすがいが打ち込み後に抜けるのを防止することができる。
【００１４】
なお、傾斜面は、本実施例のように鋸刃状に複数段設けることなく、先端から水平部に向かって対向する傾斜面の間隔が水平部に向かうにつれて小さくなる下り勾配の連続した一面で形成してもよい。
【００１５】
図２は本考案のかすがいを使用した例を示す図、図３は本考案のかすがいを梁と束に打ち込んだ例を示す断面図である。
【００１６】
図２において、梁６と束７、束７と天秤８などの接合部に本考案のかすがいを打ち込む。図３に示すように、かすがいを木柱に打ち込んでいくと、脚部２の対向する傾斜面３の押圧力が図３に示す矢印方向に作用していき、梁６と束７の接合面１０１０が互いに寄せられ方向の押圧力が作用して接合面１０が強固に接合される。
【図面の簡単な説明】
【００１７】
【図１】本考案の木材接合部締め付け用かすがいの斜視図である。
【図２】本考案の木材接合部締め付け用かすがいを使用した例を示す図である。
【図３】本考案の木材接合部締め付け用かすがいを梁と束に打ち込んだ例を示す断面図である。
【図４】従来のかすがいの一例を示す斜視図である。
【符号の説明】
【００１８】
１：水平部
２：脚部
３：傾斜面
４：下端
５：段部
６：梁
７：束
８：天秤
９：棟木
１０：接合面
【図１】
0003126618.tif 000003
【図２】
0003126618.tif 000004
【図３】
0003126618.tif 000005
【図４】
0003126618.tif 000006
(57)【要約】【課題】凭れ部背後に凹凸を有する座席に対して、できるだけ均一な緊張力を付与することのできるネット製ポケットを提供する。【解決手段】凭れ部背後（１）に凹凸を有する座席に対して取り付けるネット製ポケット（２）である。前記凭れ部背部（１）の凸部（１１）に対応するネット部分（３２）と凹部（１２，１３）に対応するネット部分（３３，３４）とでネットの編み目の密度を変えている。例えば、前記凸部対応のネット部分（３２）では編み目の密度を高く、前記凹部対応のネット部分（３３，３４）では密度が低くする。【選択図】図１
0003126669.tif 000002
【実用新案登録請求の範囲】
【請求項１】
凭れ部背部（１）に凹凸を有する座席に対して取り付ける車両用ネット製ポケット（２）であって、
前記凭れ部背部（１）の凸部（１１）に対応するネット部分（３２）と凹部（１２，１３）に対応するネット部分（３３，３４）とでネットの編み目の密度を変えていることを特徴とする車両用ネット製ポケット。
【請求項２】
前記凸部対応のネット部分（３２）では編み目の密度が高く、前記凹部対応のネット部分（３３，３４）では密度が低くされて、請求項１記載のネット製ポケット。
【考案の詳細な説明】
【技術分野】
【０００１】
本考案は、自動車等の車内に固定されたネット製ポケットに関する。
【背景技術】
【０００２】
自動車の車内には、小物を収容するためのポケットが常設されている。例えば、ドアトリムの表面下側に設置されるネット製のドアポケットや自動車の座席の凭れ部の背部に設けられるものがよく知られている。
【０００３】
下記特許文献１は、自動車の座席の凭れ部の背部に取り付けられる車両用ネット製ポケットの一例である。
【特許文献１】実用新案登録第３０５８７９９号
【考案の開示】
【考案が解決しようとする課題】
【０００４】
上記従来技術の図４では、座席の凭れ部の背部に設けたネット製ポケットを図示している。そこに描かれた凭れ部は平らな表面をしている。そういう凭れ部に関しては、上記従来技術でも問題はないが、本願添付の図面に示すように、凭れ部の背後に大きな凹凸が形成されている座席がある。この例では、中央が凸部１１となり、その両脇が凹部１２，１３となっている。
【０００５】
このような座席に従来技術のネット製ポケットを張って小物を収納すると、凹部ではネットの緊張が少ないのに対して、凸部では異常に緊張する。そのようなことを繰り返すと、同一素材からなるネットは疲労してやがて弾力性を失うところが出てくる。
【０００６】
本考案は、この問題点に鑑みて行われたもので、凭れ部背後に凹凸を有する座席に対して、できるだけ均一な緊張力を付与することのできるネット製ポケットを提供することを目的とする。
【課題を解決するための手段】
【０００７】
本考案は、凭れ部背部に凹凸を有する座席に対して取り付ける車両用ネット製ポケットであって、前記凭れ部背部の凸部に対応するネット部分と凹部に対応するネット部分とでネットの編み目の密度を変えていることを特徴とする。
【考案の効果】
【０００８】
本考案では、凭れ部背部の凸部対応部分と凹部対応部分とでネットの編み目の密度を変えているので、ネットの緊張力を均一に近づけることができる。その結果、ネットの疲労が少なくなり、永く使用することが可能となった。
【考案を実施するための最良の形態】
【０００９】
好ましくは、凸部対応部分では編み目の密度が高く、凹部対応部分では密度を低くする。凹部対応部分では、窪みによる空間が比較的に広いので、小物を収納する際にネットにかかる緊張力は低く、そのため編み目の密度は低くてもよい。それに対して空間の少ない凸部対応部分では、ネットにかかる緊張力が高いので、編み目の密度を高くしているのである。
【実施例１】
【００１０】
以下、添付の図面に基づき本考案の実施例を説明する。
【００１１】
図１は、座席の凭れ部の背部１に設けた本考案の実施例に係るネット製ポケット２の正面図である。図２は、図１のＩＩ−ＩＩ断面図である。前記したように、この凭れ部の背部は、中央が凸部１１となり、その両脇が凹部１２，１３となっている。
【００１２】
このポケット２は、弾力性のあるネット３を凭れ部の背部１に固着して形成されている。ネット３の底部及び左右側部は枠４に固定されている。固定方法はどのようなものでもよいが、例えば、枠４に予め複数の突起（図示せず）を一体成形しておき、この突起にネット３の編み目を通すことができる。ネット３の上方は、収容物の出入のために開放されている。ネット３の開放端部３１は高密度の編地で補強されている。
【００１３】
このネット３は、凭れ部背部の凸部１１に対応する部分と凹部１２，１３に対応する部分とで編み目の密度が変えられている。すなわち、凸部１１に対応する部分３２では編み目の密度が高く、凹部１２，１３に対応する部分３３，３４では密度が低い。凹部対応部分３３，３４では、窪みによる空間が比較的に広いので、小物を収納する際にネット３にかかる緊張力は低く、そのため編み目の密度は低くてもよい。それに対して空間の少ない凸部対応部分３２では、ネット３にかかる緊張力が高いので、編み目の密度を高くしているのである。
【００１４】
密度だけが問題であるので、編み目の形状は問わない。編み目は正方形、長方形又は菱形が一般的であるが、その他、５角形、６角形、その他の多角形でもよい。
【００１５】
本考案の付随的な効果として、本考案のネットから視覚的に美しい印象を受ける人が多いということがあげられる。おそらく、凸部と凹部の輪郭がくっきりと際だつためであろう。この視覚的な見地から、凹部対応部分の左３３と右３４とで編み目の形状を変えることもできる。
【図面の簡単な説明】
【００１６】
【図１】座席の凭れ部の背部に設けた本考案の実施例に係るネット製ポケットの正面図である。
【図２】図１のＩＩ−ＩＩ断面図である。
【符号の説明】
【００１７】
１     背部
１１   凸部
１２，１３    凹部
２     ネット製ポケット
３     ネット
３１   開放端部
３２   凸部対応部分
３３，３４    凹部対応部分
【図１】
0003126669.tif 000003
【図２】
0003126669.tif 000004
(57)【要約】【課題】専用光源を持たない蓄光式標識は、蓄光量不足または時間経過による蓄光量の減少により、暗所における長時間の視認性維持が難しい。また、蛍光ランプ内臓の箱型誘導標識は、長時間点灯による電力消費が大きく、節電が課題であり、美観景観を損ねている場合もある。【解決手段】蛍光ランプを内臓する箱型の誘導標識に、該光源からの光を受光し得る蓄光顔料層を有する蓄光式プレートを使用し、一定時間毎に点灯し消灯する。または、蓄光式プレートに外部の専用光源から照射する。【選択図】図１
0003126666.tif 000002
【実用新案登録請求の範囲】
【請求項１】
光源と、該光源からの光を受光し得る蓄光顔料層を有する蓄光式プレートからなる事を特徴とする蓄光式標識。
【請求項２】
前記蓄光式プレートが、光源を内臓する箱型標識の標識プレートであることを特徴とする請求項１記載の蓄光式標識。
【請求項３】
前記蓄光顔料層の蓄光性顔料は、アルミン酸塩化合物に希土類元素賦活剤を添加し焼成した顔料であることを特徴とする、請求項１または請求項２記載の蓄光式標識。
【考案の詳細な説明】
【技術分野】
【０００１】
本考案は蓄光式標識に関する。
【背景技術】
【０００２】
前面からの光を蓄光する壁面・床面貼付式の蓄光式標識と、蛍光ランプ内蔵の箱型誘導標識が存在している。          
【考案の開示】
【考案が解決しようとする課題】
【０００３】
専用光源を持たない蓄光式標識は、蓄光量不足または時間経過による蓄光量の減少により、暗所における視認性の確保が難しい。
【０００４】
蛍光ランプ内臓の箱型誘導標識は、長時間点灯による電力消費が大きい。
【０００５】
大型の蛍光ランプ内蔵の箱型誘導標識は、周囲の美観景観を阻害する。
【課題を解決するための手段】
【０００６】
本考案は、光源と、該光源からの光を受光し得る蓄光顔料層を有する蓄光式プレートからなる蓄光式標識を採用することで、蓄光量不足、蓄光量の減少を解決するものである。
【０００７】
本考案は、蓄光性顔料に、アルミン酸塩化合物に希土類元素賦活剤を添加し焼成した顔料を使用することで、高輝度の蓄光性を発揮するものである。
【０００８】
本考案は、光源を内臓する箱型標識の標識プレートに、蓄光式プレートを使用することで節電するものである。また、専用光源を外部に設置することで、美観景観の改善を図るものである。
【考案の効果】
【０００９】
本考案の専用光源を有する蓄光式標識は、蓄光量を維持し、暗所における視認性の確保により、安全に誘導することができる。
【００１０】
本考案の蓄光式標識は、節電効果と美観景観の改善効果が高い。
【考案を実施するための最良の形態】
【００１１】
本考案において、光源として、蛍光ランプ、白熱灯を使用することが出来る。    
光源が蛍光ランプの場合、例えば３時間に１回２０分間、電源を間歇的・自動的に「オン」にする。
【００１２】
光源として、蛍光ランプＤ65を蓄光式プレートに向け、前面または背面より
１００ｌｕｘの照度で２０分間照射することが望ましい。
【００１３】
蛍光ランプを光源とする箱型および床面型の「案内標識」、「避難口誘導標識」、「通路誘導標識」、「消火器具類の標識」、「避難器具類の標識」に使用されている標識プレートを、本考案に係わる蓄光式プレートに置き換えることができる。
【００１４】
蓄光式プレートを壁面または床面に貼付するか、天井に垂直に固定または鎖などで懸垂し、専用の光源で照射する。    
【００１５】
図１は、蓄光性顔料を使って描いた文字・絵の蓄光顔料層を、両面より透明の高耐久ラミネート層で被膜した３層の蓄光式プレートで、１は蓄光顔料層、２は高耐久ラミネート層である。１の蓄光顔料層の蓄光性顔料は、アルミン酸塩化合物に希土類元素賦活剤を添加し焼成した顔料（ルミノーバ：登録商標）であることを特徴とする。
【００１６】
図２は、従来の蛍光ランプ内臓の箱型標識の標識プレートを、本考案の蓄光
式プレートに置き換えて、背面光源からの光を受光する事ができるようにした蛍光ランプ内臓の箱型蓄光標識である。図２において、３は光源を覆う箱で、蛍光ランプが内蔵されている。４はボックス取付用パイプ及び電気線用路である。
【図面の簡単な説明】
【００１７】
【図１】本考案に係わる蓄光式プレートの斜視図である。
【図２】本考案に係わる蓄光式プレートを適用した箱型標識の斜視図である。
【符号の説明】
【００１８】
１  蓄光顔料層
２  高耐久ラミネート層
３  光源被覆ボックス
４  取付パイプ          
【図１】
0003126666.tif 000003
【図２】
0003126666.tif 000004
(57)【要約】      （修正有）【課題】墓参の際に記載されている戒名や俗名に対応する者の顔を判るようにする。【解決手段】硬質材からなる板材の表面側に記録対象がレーザー彫刻により記録され、裏面に接着剤が施されてなる。更に具体的には、前記板材が墓石又は墓誌と同素材の石材からなる板材であり、当該板材の表面側には、墓石又は墓誌に記載された戒名又は俗名に対応する記録対象である遺影がレーザー彫刻により記録されてなり、当該貼付け用記念プレートを、記録された遺影に対応する墓石又は墓誌に対して貼り付けるようにしている貼付け用記念プレートにしたことである。【選択図】図１
0003126637.tif 000002
【実用新案登録請求の範囲】
【請求項１】
硬質材からなる板材の表面側に記録対象がレーザー彫刻により記録され、裏面に接着剤が施されてなる貼付け用記念プレート。
【請求項２】
前記板材が墓石又は墓誌と同素材の石材からなる板材であり、当該板材の表面側には、墓石又は墓誌に記載された戒名又は俗名に対応する記録対象である遺影がレーザー彫刻により記録されてなり、当該貼付け用記念プレートを、記録された遺影に対応する墓石又は墓誌に対して貼り付けるようにしている請求項１に記載の貼付け用記念プレート。
【考案の詳細な説明】
【技術分野】
【０００１】
本考案は、貼付け用記念プレートに関し、特に、墓石や墓誌に記載された戒名又は俗名の者の顔が一目で判別するのに好適な貼付け用記念プレートに関する。
【背景技術】
【０００２】
通常墓石や墓誌には、戒名や俗名が記載されているが遺影が飾られていることはなく、当該戒名や俗名の者がどのような顔であるかが判らない。
【考案の開示】
【考案が解決しようとする課題】
【０００３】
そこで、墓参の際に記載されている戒名や俗名に対応する者の顔が判れば、更に良い墓参ができるものと、鋭意研究の結果、本考案にいたったものである。
尚、本考案者の知り得る範囲において、本考案に関連する先行技術文献の存在については不知である。
【０００４】
そこで本考案は、墓参の際に記載されている戒名や俗名に対応する者の顔を判るようにすることを課題とし、この課題を解決した貼付け用記念プレートの提供を目的とする。
【課題を解決するための手段】
【０００５】
本考案が上記目的を達成するために採用した技術的手段は、硬質材からなる板材の表面側に記録対象がレーザー彫刻により記録され、裏面に接着剤が施されてなる貼付け用記念プレートにしたことである。
【０００６】
更に具体的には、前記板材が墓石又は墓誌と同素材の石材からなる板材であり、当該板材の表面側には、墓石又は墓誌に記載された戒名又は俗名に対応する記録対象である遺影がレーザー彫刻により記録されてなり、当該貼付け用記念プレートを、記録された遺影に対応する墓石又は墓誌に対して貼り付けるようにしている貼付け用記念プレートにしたことである。
【０００７】
本考案でいうレーザー彫刻は、モノトーンやカラーいずれでも良い。
又、本考案でいう硬質材とは、石材、合成樹脂材、金属材等が例示でき、好ましくは、一般に墓石又は墓誌に多く用いられている御影石が好ましい。
【考案の効果】
【０００８】
本考案の貼付け用記念プレートによれば、墓参の際に記載されている戒名や俗名に対応する者の顔を判るようにすることができる。
【考案を実施するための最良の形態】
【０００９】
以下、本考案の貼付け用記念プレートを実施するための最良の形態を図面に基づいて説明する。
【００１０】
本形態の貼付け用記念プレート１は、図１及び図２に示すように、墓石Ａや墓誌Ｂと略同色・略同模様の御影石を方形板状に形成した比較的薄状の板材２を用いて構成されたものである。
前記板材２の表面２１側には、レーザー彫刻により、遺影３がモノトーン又はカラーで記録され、裏面２２側には墓石Ａや墓誌Ｂに貼り付けるための接着剤４が施されている。
【００１１】
前記接着剤４は、一般にシールと称されるような形態の裏紙４１で被覆されており、使用時において裏紙を剥がして接着剤４を露出させて、墓石Ａや墓誌Ｂに貼り付けるようにしてある。
尚、貼付け用記念プレート１をより強力な貼り付け状態にするという観点から、前記裏紙４１を剥がして接着剤４を露出させた後、当該接着剤４の上から更に接着剤を塗布するようにすることが好ましい（図示せず）。
【００１２】
本形態の貼付け用記念プレート１によれば、図３及び図４に示すように、墓石Ａや墓誌Ｂに対して、これら墓石Ａや墓誌Ｂに記載された戒名（俗名）Ｃの上方や下方に貼り付けることで、記載されている戒名（俗名）Ｃがどのような顔をしているかが判るようにできる。
又、本形態の貼付け用記念プレート１は、その板材２が墓石Ａや墓誌Ｂと略同色・略同模様の御影石であるので、貼り付けた際に、貼付け用記念プレート１と墓石Ａや墓誌Ｂとの一体感を醸し出すことができる。
又、遺影３がレーザー彫刻により記録されているので、風雨にも強く、施された記録が長期間に亘って維持できる。
更に、接着剤４の劣化等により貼付け用記念プレート１が墓石Ａや墓誌Ｂから剥がれても、再度接着剤を塗布して貼り付けることができる。
【００１３】
尚、本考案は、例示した実施の形態に限定するものではなく、実用新案登録請求の範囲に記載された内容から逸脱することなく、他の構成による実施も可能である。
例えば、貼り付け対象を墓石や墓誌以外に、仏壇や壁等にしても良い（図示せず）。
又、記録される対象を遺影に加えて、戒名や俗名をレーザー彫刻し、これを墓石や墓誌に貼り付けることによって、新仏が出た際に、墓石や墓誌を取り外すことなくきわめて容易に遺影とともに戒名や俗名を墓石や墓誌に施すことができる（図示せず）。
又、例示した形態では、遺影を施した貼付け用記念プレートであるが、これ以外にも、例えば、結婚記念、還暦記念、新築記念等の様々な記念用とすることもでき、記録対象をこれらに対応させたものにすることで達成できる。
【図面の簡単な説明】
【００１４】
【図１】本考案に係る貼付け用記念プレートの一形態を示す表面図。
【図２】同、裏面図。
【図３】貼付け用記念プレートを墓石に貼り付けた状態を示す。
【図４】貼付け用記念プレートを墓誌に貼り付けた状態を示す。
【符号の説明】
【００１５】
１：貼付け用記念プレート
Ａ：墓石
Ｂ：墓誌
２：板材
２１表面
２２：裏面
３：遺影（記録対象）
４：接着剤
【図１】
0003126637.tif 000003
【図２】
0003126637.tif 000004
【図３】
0003126637.tif 000005
【図４】
0003126637.tif 000006
(57)【要約】【課題】外部から見える部分全体を芯材から取り外して洗濯することができ、かつ、スリッパの履用に伴って床面が自然に掃除されるようにしたスリッパを提供する。【解決手段】外被体１内に芯材収納部３を形成し、該芯材収納部には芯材５を出し入れ自在に収納し、該芯材収納部の出入口７には該出入口を密閉し得る開閉手段９を備えさせ、該外被体の底部１１には凹凸のあるかきとり手段１３を設けたことを特徴とするスリッパ。前記外被体は足指挿入部１７を備え、かつ、吸水性素材により形成されている。【選択図】図１
0003126660.tif 000002
【実用新案登録請求の範囲】
【請求項１】
外被体内に芯材収納部を形成し、該芯材収納部には芯材を出し入れ自在に収納し、該芯材収納部の出入口には該出入口を密閉し得る開閉手段を備えさせ、該外被体の底部には凹凸のあるかきとり手段を設けたことを特徴とするスリッパ。
【考案の詳細な説明】
【技術分野】
【０００１】
本考案は、スリッパに関するものであり、例えば風呂上り等に室内で履用されるスリッパに係るものである。
【背景技術】
【０００２】
特開平２０００−１５７３０１号公報は、スリッパ履部本体の底面にスリッパ底部を着脱自在に取り付けてなるスリッパ（以下「従来のスリッパ」という。）を開示している。
【０００３】
上記従来のスリッパは、履用に伴いスリッパ履部本体が汚れたときには、該スリッパ履部本体をスリッパ底部から分離して洗濯した後、該スリッパ履部本体の底面にスリッパ底部を再び取り付けて履用することができるようにしたものである。
【特許文献１】特開平２０００−１５７３０１号公報
【考案の開示】
【考案が解決しようとする課題】
【０００４】
上記従来のスリッパにおいては、スリッパ履部本体はスリッパ底部から分離して洗濯することができるものの、スリッパ底部は芯材を内蔵するため洗濯することができない。しかして、スリッパ底部も外部から見えるため、スリッパ底部が汚れたときには、外観上の不都合を生ずる。
【０００５】
本考案は、上記従来のスリッパにおける上述の如き問題を解決し、外部から見える部分全体を芯材から取り外して洗濯することができ、かつ、スリッパの履用に伴って床面が自然に掃除されるようにしたスリッパを提供しようとしてなされたものである。
【課題を解決するための手段】
【０００６】
上記課題を解決するために、本考案は下記のスリッパを提供する。
【０００７】
外被体内に芯材収納部を形成し、該芯材収納部には芯材を出し入れ自在に収納し、該芯材収納部の出入口には該出入口を密閉し得る開閉手段を備えさせ、該外被体の底部には凹凸のあるかきとり手段を設けたことを特徴とするスリッパ。
【考案の効果】
【０００８】
芯材は常時外被体内の芯材収納部に密閉され、外部からは見えないため、芯材がスリッパの外観に影響を及ぼすことはない。
【０００９】
外被体が汚れたときには、外被体の芯材収納部から芯材を取り出し、外被体のみを洗濯することができる。外被体を洗濯し、乾燥させた後、外被体の芯材収納部内に再び芯材を入れることにより、スリッパ全体が汚れのない清潔な状態となる。
【００１０】
更に、外被体の底部には凹凸のあるかきとり手段を備えさせたため、床上でスリッパを普通に履用することにより、床面のホコリ、汚れ等が該かきとり手段により除去される。換言すれば、スリッパを単に床上で履用するだけで、床面の掃除が自然に行なわれることになり、いわばスリッパが掃除具になるという効果が発揮される。
【考案を実施するための最良の形態】
【００１１】
符号１に示すものはスリッパの外被体である。
【００１２】
外被体１内に芯材収納部３を形成し、該芯材収納部３には芯材５を出し入れ自在に収納する。
【００１３】
芯材５は、好ましいクッション性を有するものであり、芯材５としては例えばウレタンフォーム等が用いられる。
【００１４】
図示の事例における芯材５は、第一層５ａと第二層５ｂと第三層５ｃとを積み重ねた状態で布等の袋状体５ｄ内に収納してなるものである。
【００１５】
芯材収納部３の出入口７には該出入口７を密閉し得る開閉手段９を備えさせる。
【００１６】
図示の事例における開閉手段９は、スライドファスナーであるが、開閉手段９はスライドファスナーに限られるものではなく、例えば面ファスナー等であっても差し支えない。
【００１７】
外被体１の底部１１には凹凸のあるかきとり手段１３を備えさせる。
【００１８】
即ち、一例として、底部１１は綿等のマイクロファーバーにより形成し、該底部１１の底面には床面１５に対するかきとり効果ないし拭き取り効果を有する凹凸のあるかきとり手段１３が現れるようになす。
【００１９】
かきとり手段１３は、床面１５上のホコリや汚れをかきとり又は拭き取る効果を有する凹凸面である。
【００２０】
図３に示す事例においては、底部１１は外被体１の下部に逢着されている。
【００２１】
外被体１は足指挿入部１７を備えている。
【００２２】
足指挿入部１７は、足指を挿脱自在に挿入するようにしたものである。
【００２３】
図示の事例における足指挿入部１７は、外被体１の上面１９に鼻緒２１を取り付けることにより、草履と同様に、外被体１の上面１９と鼻緒２１と鼻緒２１の前緒２３とにより、二つの足指挿入部１７が形成されている。即ち、一方の足指挿入部１７には親指が挿入され、他方の足指挿入部１７には他の４本の指が挿入される。
【００２４】
また、五つの足指挿入部１７を形成し、これらの足指挿入部１７に５本の足指を各別に挿入するようにしてもよい。
【００２５】
外被体１は、好ましくは、ボア等の吸水性素材により形成する。外被体１を吸水性素材により形成した場合には、足の汚れや汗等が除去されるだけでなく、特に入浴後の履用感に優れている。
【図面の簡単な説明】
【００２６】
【図１】本考案によるスリッパの一例を示す斜視図である。
【図２】芯材の一例を示す斜視図である。
【図３】同上スリッパの断面図である。
【符号の説明】
【００２７】
１  外被体
３  芯材収納部
５  芯材
５ａ  第一層
５ｂ  第二層
５ｃ  第三層
５ｄ  袋状体
７  出入口
９  開閉手段
１１  底部
１３  かきとり手段
１５  床面
１７  足指挿入部
１９  上面
２１  鼻緒
２３  前緒
【図１】
0003126660.tif 000003
【図２】
0003126660.tif 000004
【図３】
0003126660.tif 000005
(57)【要約】【課題】ソフトバレ−ボ−ル球を膨らませて規格の大きさの球をつくる時、規格の大きさになるまで何度も空気の出入れを繰り返して調整していたのを、一度膨らませるだけで規格の大きさに合わせられるようにする。【解決手段】大きさ四脚ゲ−ジの中にソフトバレ−ボ−ル球を置いて膨らませ、ボ−ルの表面が四本の計測用ポ−ル（対角線約２５Ｃｍ）に触れたら規格の大きさと分かるようにした。【選択図】図２
0003126694.tif 000002
【実用新案登録請求の範囲】
【考案の詳細な説明】
【考案の開示】
ソフトバレ−ボ−ル球の大きさ四脚ゲ−ジ
【考案が解決しようとする課題】
【０００１】ソフトバレ−ボ−ル球を規格の大きさに合わせるには、膨らませた後、大きさゲ−ジの板に開いた直径約２５Ｃｍの穴を通して計っているが、この方式だと大きさが合うまで何度も球の空気量を調整しなければならないという問題点があった。
【考案が解決するための手段】
【０００２】四本のポ−ルの中でソフトバレ−ボ−ル球を膨らませ、球の表面が四本のポ−ル（対角線約２５Ｃｍ）に触れたら規格の大きさと分かる、大きさ四脚ゲ−ジを使用する。
【考案の効果】
【０００３】簡単に早く正確に規格の大きさに合わせられるようになる。
【図面の簡単な説明】
【図１】開けた状態の大きさ四脚ゲ−ジの平面図である。
【図２】考案した大きさ四脚ゲ−ジで球が計測用ポ−ルに触れた状態を示す断面図である。
【符号の説明】
１  大きさ四脚ゲ−ジ本体
２  計測用ポ−ル
３  計測用ポ−ル取付板接続ボルト
４  ソフトバレ−ボ−ル球（膨らませた状態）
５  計測用ポ−ル取付板
６  計測用ポ−ル取付ネジ
【図１】
0003126694.tif 000003
【図２】
0003126694.tif 000004
【手続補正書】
【提出日】平成18年2月20日(2006.2.20)
【手続補正１】
【補正対象書類名】実用新案登録請求の範囲
【補正対象項目名】全文
【補正方法】追加
【補正の内容】
【実用新案登録請求の範囲】
【請求項１】
細い板の両端に対角線がソフトバレ−ボ−ル球の直径に合わせた脚を取付け、二対を中央で組合わせてたためる構造であり、四脚の内で球を膨らませて直径計る、四脚の椅子を逆さにした形状を有する（大きさ四脚ゲ−ジ）。
【手続補正書】
【提出日】平成18年5月23日(2006.5.23)
【手続補正１】
【補正対象書類名】実用新案登録請求の範囲
【補正対象項目名】全文
【補正方法】変更
【補正の内容】
【実用新案登録請求の範囲】
【請求項１】
細い板の両端に対角線がソフトバレ−ボ−ル球の直径に合わせた脚を取付け、二対を中央で結合した折りたためる構造であり、四脚の内側で球を膨らませて直径を計る、「四脚の椅子を逆さにした様な形状を有する大きさ四脚ゲ−ジ。」
【手続補正書】
【提出日】平成18年7月14日(2006.7.14)
【手続補正１】
【補正対象書類名】実用新案登録請求の範囲
【補正対象項目名】全文
【補正方法】変更
【補正の内容】
【実用新案登録請求の範囲】
【請求項１】
細長い板の両端に、２５ｃｍの間隔を開けて脚を取付けた二対を、板の中心で結合し開閉できる構造であり、四脚の内側に球を置き膨らませて直径を計る、四脚の椅子を逆さにした様な形状を有する大きさ四脚ゲ−ジ。
(57)【要約】      （修正有）【課題】本考案は、ナイロン  モノ  フィラメントの性質を利用して、着脱が楽で、挿入口が閉塞してべたつく不快感をなくし、使用後に乾繰する時も開口しているので衛生的で乾きやすい。【解決手段】ゴム、又は合成樹脂製の従来のＳ，Ｍ．Ｌ．等のサイズの手袋の挿入口の大きさに、輪状のナイロン  モノ  フィラメントを組み合わせる（反転させてつけるなどの加工で）方法で解決出来る。【選択図】図１
0003126692.tif 000002
【実用新案登録請求の範囲】
【請求項１】
ゴム、又は合成樹脂製の手袋の挿入口にナイロン  モノ  フィラメント（形状記憶）を輪の状態に付けると、その性質上、挿入口が閉ざされて密着してしまうことがない。したがって着脱し易く、いつも開口しているために、乾繰する時も都合が良く、衛生的である。
【考案の詳細な説明】
【技術分野】
【０００１】本考案は、炊事  洗濯に使用されるもので、全長４３Ｃｍくらいの長さの、ゴム、又は合成樹脂製の手袋の挿入口の形状に関するものである。
【背景技術】
【０００２】着脱の簡易なものは、先行技術として色々な形がある。
【考案が解決しょうとする課題】
【０００３】しかしながら、従来のものは、簡易に着脱できても、いったん手からはずしたとき、挿入口が密着してしまい、入り口がべたつき、次に使うとき、とても不快な状態を解決する。。
【課題を解決するための手段】
【０００４】本考案は、ゴム、又は合成樹脂製の全長が肘位（４３Ｃｍくらい）の手袋の挿入口に、形状記憶のナイロン  モノ  フィラメントを輪状に付ける加工をすることで、挿入口は、輪のままの状態を保ち、はずしたときも塞がって、密着してしまうことがないので、水分や、汚れがあっても、次に挿入する時も、簡単に装着できる，と言う形のものである。
【考案の効果】
【０００５】輪状の記憶形状ナイロン  モノ  フィラメントの性質により常に挿入口が開かれているために、使い勝手も良く、使用後に逆さに吊るしたりして乾繰させる際も口がひらいているために、乾き易く衛生的であり、着脱も容易で、袖口も汚れない。
【考案を実施するための最良の形態】
【０００６】従来の炊事、洗濯用のゴム、又は合成樹脂製の手袋の挿入口に形状記憶ナイロン  モノ  フィラメントを輪状に装着するだけで、効果がえられるものである。
【産業上の利用可能性】
【０００７】日々の作業に欠かせない手袋なので、この形は極めて利用度が高いと思われる。
【図面の簡単な説明】
【０００８】
【図１】本考案に係る図。
【図１】
0003126692.tif 000003
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
ゴムや合成樹脂製の肘位までの作業用手袋の挿入口に、ナイロン  モノフィラメント（形状記憶）を輪の状態に具備するもので、手からはずした時、挿入口が密着してしまうことが無い形状の挿入口にした手袋。
【手続補正２】
【補正対象書類名】明細書
【補正対象項目名】全文
【補正方法】変更
【補正の内容】
【考案の詳細な説明】
【考案が解決しようとする課題】
【０００３】しかしながら、従来の手袋は簡単に着脱出来ても、いったん手からはずした時、挿入口が密着してしまい、入り口がべたつき、次に使う時とても不快な状態になるし、吊るしても乾き難く不衛生な状態になるが、挿入口にナイロン  モノ  フィラメントを具備すると開放状態が保持されるので手の挿入も容易で衛生的な手袋になる。
【考案の効果】
【０００５】手袋の挿入口に輪状の形状記憶ナイロン  モノ  フィラメントを具備することで、挿入口が常に開かれているために、使い勝手も良く、吊るして乾燥させる際も口が開いているため乾き易く衛生的で有り、着脱も用意で、袖口も汚れず実用性に優れた手袋である。
【産業上の利用可能性】従来の手袋の挿入口に形状記憶ナイロンモノフィラメントを具備させる簡単構造の方法で製造出来るし、作業上利用度も高い。
【手続補正書】
【提出日】平成18年4月25日(2006.4.25)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は、炊事、洗濯に使用される物で、全長４３Ｃｍくらいの長さのゴム、又は合成樹脂の手袋の挿入口の形状に関するものである。
【背景技術】
【０００２】  着脱の簡易な物は、先行技術として色々な形がある。
【考案が解決しようとする課題】
【０００３】  しかしながら、従来の手袋は簡単に着脱出来ても、いったん手からはずした時、挿入口が密着してしまい、入口がべたつき、次に使う時とても不快な状態になるし、吊るしても乾き難く不衛生な状態になるが、挿入口にナイロン  モノ  フィラメントを具備すると開放状態が保持されるので、手の挿入も容易で衛生的な手袋になる。
【課題を解決するための手段】
【０００４】本考案は、ゴム、又は合成樹脂の全長が肘位（４３Ｃｍくらい）の手袋の挿入口に、形状記憶のナイロン  モノ  フィラメントを輪状に付ける加工をすることで解決するものある。挿入口は、輪のままの状態を保ち、はずしたときも塞がって密着してしまうことがない。
【考案の効果】
【０００５】  手袋の挿入口に輪状の形状記憶ナイロン  モノ  フィラメントを具備することで、挿入口が常に開かれているために、使い勝手も良く、吊るして乾燥させる際も口が開いているため乾き易く衛生的であり、着脱も容易で、袖口も汚れず実用性に優れた手袋である。
【考案を実施するための最良の形態】
【０００６】従来の炊事、洗濯用のゴム、又は合成樹脂製の手袋の挿入口に形状記憶ナイロン  モノフィラメントを輪状に装着するだけで、効果が得られるものである。
【産業上の利用可能性】
【０００７】    従来の手袋の挿入口に形状記憶ナイロン  モノ  フィラメントを具備させる簡単構造の方法で製造出来るし、作業上利用度も高い。
【図面の簡単な説明】
【０００８】
0003126692.tif 000004
【手続補正２】
【補正対象書類名】手続補正書
【補正対象項目名】手続補正３
【補正方法】削除
【補正の内容】
【手続補正書】
【提出日】平成18年6月28日(2006.6.28)
【手続補正１】
【補正対象書類名】手続補正書
【補正対象項目名】手続補正  １
【補正方法】変更
【補正の内容】
【手続補正１】
【補正対象書類名】明細書
【補正対象項目名】０００８
【補正方法】変更
【補正の内容】
【０００８】
【図１】  本件考案に係る図
(57)【要約】【課題】  マウスピース素材が特定の音にしか反応せずに、ピークの音だけが強調され音の響きが無い不具合の解消等。【解決手段】  竹の節を利用し、先端部分にはポリエステルで反射板を形成し、竹の持つ振動吸収力とポリエステルの振動吸収力により、リードと共振し、音色がとても豊かに変化する。演奏した感じも、とても吹きやすく表現が豊かになる。また全てのリードで音が出るようになり、とても軽く演奏者は長く演奏していても疲れない。【選択図】図２
0003126695.tif 000002
【実用新案登録請求の範囲】
【請求項１】
リードと同じ異方性を持つ素材の、竹を利用し、竹の節に反射板をポリエステル樹脂にすることで振動吸収率が高くなり、リードの振動とともに共振し、シングルリードでありながらダブルリードの音圧を得ることが出来き、かつ竹の持つ振動吸収率によりとても豊かで響きのある音色に変化し、音の立ち上がり、コントロールのしやすさが向上し演奏しやすくなり、どのリードを使用しても一定の効果が得られる特徴を持つ木管楽器シングルリードマウスピース。
【請求項２】
マウスピースのテーブルをリードより狭くすることにより、リードの中央部分を押圧させることができ、響きのある音色に変化する木管楽器シングルリードマウスピース。
【考案の詳細な説明】
【技術分野】
【０００１】  本考案は、木管楽器シングルリードマウスピースに関するものである。
【背景技術】
【０００２】  木管楽器のシングルリードマウスピースは、材質が硬さを保つためにプラスチック、金属などの素材により、リードの振動を少ない力で大きな音を出し管に伝えるものとして実用上十分であった。
【考案の開示】
【考案が解決しようとする課題】
【０００３】  しかし、少ない力で大きな音を出したいときには、振動吸収力の小さな材料を選ぶために特定の音にしか反応せずに、ピークの音だけが強調され音の響きを作るために音響機器で修正しなくてはいけない点である。またリードの振動吸収力とマウスピースの振動吸収力の違いにより、ならないリードがほとんどで，なるリードは極わずという欠点があった。更にテーブル面積が広いためにリードを堅固に固定してリードの振動を妨げていたことを課題とする。
【課題を解決するための手段】
【０００４】  この課題を解決しようとするための請求項１の考案は、竹の節を利用し、先端部分にはポリエステルで反射板を形成した木管楽器のシングルリードマウスピースである。【０００５】  この課題を解決しようとするための請求項２の考案は、テーブル面積を狭くしてリードとの接触面積を減らし、中央でリードを固定する木管楽器のシングルリードマウスピースである。
【考案の効果】
【０００６】  竹の持つ振動吸収力とポリエステルの振動吸収力により、リードと共振し、音色がとても豊かに変化する。演奏した感じも、とても吹きやすく表現が豊かになる。また全てのリードで音が出るようになる。更にとても軽く演奏者は長く演奏していても疲れない。
【考案を実施するための最良の形態】
【０００７】  本考案に係るマウスピースは、図３の断面図に示すように竹の節を利用し、テーブル面１０を斜めに削り反射板２のバッフルをにポリエステルで形成。図１に示すようにこのテーブル面にリード５をリガチャー９で固定し先端の節３から息を吹き込みリードがバッフルと共鳴し音が鳴るる。【０００８】  図２はテーブルが狭く設けたことを特徴とする、マウスピースのテーブル面から示した図である。図に示すようにテーブル面積を下に行くほど徐々に減らし、中央でリードを固定することが出来る。
【図面の簡単な説明】
【０００９】
【図１】  マウスピース、リード、リガチャーを示した構成図である。
【図２】  テーブル面を示した図である。
【図３】  マウスピースの中心を縦で割った断面図である。
【図４】  マウスピースの中心を横で割った断面図である。
【符号の説明】
【００１０】  １    竹のマウスピース本体
２    ポリエステル
３    節
４    リードが振動する場所（フェンシング）
５    リード
６    シャフト
７    ネジ（オス）
８    ネジ（メス）
９    リガチャー本体
１０  テーブル
【図１】
0003126695.tif 000003
【図２】
0003126695.tif 000004
【図３】
0003126695.tif 000005
【図４】
0003126695.tif 000006
【手続補正書】
【提出日】平成18年3月29日(2006.3.29)
【手続補正１】
【補正対象書類名】実用新案登録請求の範囲
【補正対象項目名】全文
【補正方法】変更
【補正の内容】
【実用新案登録請求の範囲】
【請求項１】
リードと同じ異方性を持つ素材の、竹を利用し、竹の節に反射板をポリエステル樹脂にすることで振動吸収率が高くなり、リードの振動とともに共振し、シングルリードでありながらダブルリードの音圧を得ることが出来き、かつ竹の持つ振動吸収率によりとても豊かで響きのある音色に変化し、音の立ち上がり、コントロールのしやすさが向上し演奏しやすくなり、どのリードを使用しても一定の効果が得られる特徴を持つ木管楽器シングルリードマウスピース。
【手続補正書】
【提出日】平成18年6月23日(2006.6.23)
【手続補正１】
【補正対象書類名】実用新案登録請求の範囲
【補正対象項目名】全文
【補正方法】変更
【補正の内容】
【実用新案登録請求の範囲】
【請求項１】
竹の節を斜めに削り、穴を樹脂でふさいだ、木管楽器シングルリード竹製マウスピース。
(57)【要約】【課題】ＳＵＳバンドにおいてコマ外れを少なくする。【解決手段】腕時計用ＳＵＳバンドの各組のコマ(３)にＳＵＳピン(１)を導入する。ＳＵＳピン(１)には段差溝(２)が形成され、コマ(３)には突起(４)が形成されている。突起(４)に上方からプレスをかけ、突起に相当する量のコマの一部が段差溝に進入するように構成されている。【選択図】  図３
0003126601.tif 000002
【実用新案登録請求の範囲】
【請求項１】
腕時計ＳＵＳバンドの中のＳＵＳピン(１)と、同ＳＵＳピンの特徴は段差溝(２)を有することと、
バンドのサイドコマ(３)と、同コマ(３)は穴(５)及び突起(４)を有することと、ＳＵＳピン(１)はコマ(３)の穴(５)に押入され、突起(４)に加えられた圧力により突起(４)の量に相当するコマ(３)の一部がＳＵＳピン(１)の段差溝(２)内に進入する腕時計用ＳＵＳバンドの連結構造。
【請求項２】
ＳＵＳピン(４)は周方向全体に延びる段差溝(２)を備え、サイドコマ(３)の突起（４）が段差溝(２)の上部に対応する位置にある請求項１に記載の腕時計用ＳＵＳバンドの連結構造。
【請求項３】
前記突起(４)は圧力によりコマ(３)内に没入し、突起(４)の上面が同コマ（３）の表面とほぼ同一平面に達したのち、研磨加工が施される請求項1に記載の腕時計用ＳＵＳバンド
の連結構造。
【考案の詳細な説明】
【技術分野】
【０００１】
本考案は、腕時計用ＳＵＳバンドの連結構造に関する。
【背景技術】
【０００２】
腕時計における装飾性が重んじられて久しい。このため、腕時計のバンドにＳＵＳ材料を利用することも多い。しかし、従来の腕時計用ＳＵＳバンドでは、コマ外れが多かった。このコマ外れのため、ＳＵＳバンドの引っ張り強度は１０ｋｇまでの弱いものであり、大きな張引力がかかるとコマ外れが発生し、バンドの取替えが必要となった。
【考案の開示】
【考案が解決しようとする課題】
【０００３】
本考案は従来の技術の問題点を鑑みてなされたものであり、その目的は、コマ外れをすることが少なく、強い引張り強度を備えて、使用寿命の長い腕時計用ＳＵＳバンドの連結構造を提供することにある。
【課題を解決するための手段】
【０００４】
上記した目的を達成するために、本考案は腕時計ＳＵＳバンドの中のＳＵＳピンと、同ＳＵＳピンの特徴は段差溝を有することと、バンドのサイドコマと、同サイドコマは穴及び突起を有することと、ＳＵＳピンはサイドコマの穴に圧入され、突起ダボに相当する量の材料がＳＵＳピンの段差溝内に進入する。
【考案を実施するための最良の形態】
【０００５】
図３において、バンド片７の両端面にはコマ３が対峙している。この状態において、図１及び１ａに示すように、コマ３に対して、連結用のＳＵＳピン１を挿入する。ＳＵＳピンの両端部外周面にはその周方向全体に延びるに段差溝２がそれぞれ設けられている。バンドのサイドコマの上下両面には突起３が形成されている。そして、コマ３の一側面において、上下方向ほぼ中央部にピンの外径に等しい内径を有する穴５がコマ３の内部にて水平方向に延びている。
【０００６】
ＳＵＳピン１はコマ３内の穴５内に強制的に挿入される。ＳＵＳピン１はその段差溝２がコマ３の突起４と正確に対応するように位置するように穴５内に保持される。図２、２ａに示すように、コマ３の突起４に対して上方からプレスがかけられ、この押圧力（矢印にて示す）により、突起４が下方に押圧され、突起４の上面がコマ３の表面とほぼ面一となるまで、コマ３内に没入する。
【０００７】
すると、コマ３の内側面において突起４に対応する位置に、突起の没入量に相当する突出片が内方へ突出する。この内方への突出片は段差溝２内に進入し、ＳＵＳピン１はコマ３に対して固定連結される。
【０００８】
図３に示すように、ピンはバンド片７に挿通された後、その両端２がコマ３に係着される。このため、図４に示すように、ピン１によりコマ３同士がバンド片７を介して堅固に連結される。この後で、コマ３の表面は研磨等の仕上げ加工が施され、図５に示すようにコマ３の外面から突起４の跡が除去される。
【０００９】
このようにして製造されるコマ３及びバンド片７は互いに堅固に連結されるため、コマ外れが少なく、使用寿命が長いＳＵＳバンドが形成される。
なお、本出願人は、このＳＵＳバンドによる引っ張り強さが５０ｋｇまで増強しているこ
とを実験により確認している。
【図面の簡単な説明】
【００１０】
【図１】本考案のＳＵＳバンドにおける、コマとピンとの加工前の関係を示す横断面図。
【図１ａ】本考案のＳＵＳバンドにおける、コマとピンとの加工前の関係を示す縦断面図。
【図２】本考案のＳＵＳバンドにおける、コマとピンとの加工後の関係を示す横断面図。
【図２ａ】本考案のＳＵＳバンドにおける、コマとピンとの加工後の関係を示す縦断面図。
【図３】ＳＵＳバンドのコマとピンとの加工前の関係を示す分解斜視図。
【図４】コマとピンとが組みつけられた状態を示す斜視図。
【図５】ピンにより組みつけられたコマを研磨加工した状態を示す斜視図。
【符号の説明】
【００１１】
ＳＵＳピン…１、段差溝…２、サイドコマ…３、 突起…４、穴…５。
【図１】
0003126601.tif 000003
【図１ａ】
0003126601.tif 000004
【図２】
0003126601.tif 000005
【図２ａ】
0003126601.tif 000006
【図３】
0003126601.tif 000007
【図４】
0003126601.tif 000008
【図５】
0003126601.tif 000009